(57)【要約】単相水性溶液を用いて高分子基体から１つ又は複数のコーティングを除去するための組成物、処理混合物、キット、及び方法が提供される。単相水性溶液は、水と有機エステル分を含んでいてもよい。有機エステル分は、１つ以上のアルキル二酸ジアルキルエステルを含んでいてもよい。【選択図】なし【特許請求の範囲】
【請求項１】
高分子基体から１つ又は複数のコーティングを除去するための単相水性溶液であって、
少なくとも約９０重量％の水と、
１つ以上のアルキル二酸ジアルキルエステルから本質的になる有機エステル分と、
を含む単相水性溶液。
【請求項２】
前記１つ以上のアルキル二酸ジアルキルエステルのそれぞれのアルキル二酸アルキル基が、独立して、Ｃ２〜Ｃ１０アルキル、Ｃ１〜Ｃ４アルキル又はアリールで置換されるＣ２〜Ｃ１０アルキル、Ｃ２〜Ｃ８アルキル、Ｃ１〜Ｃ４アルキルで置換されるＣ２〜Ｃ８アルキル、又はＣ２〜Ｃ５アルキルのうちの１つである、請求項１に記載の単相水性溶液。
【請求項３】
前記１つ以上のアルキル二酸ジアルキルエステルの各ジアルキルエステルアルキル基が、独立してＣ１〜Ｃ４アルキルである、請求項１に記載の単相水性溶液。
【請求項４】
前記有機エステル分が、アジピン酸ジメチル又はグルタル酸ジメチルのうちの１つ又は複数を含む、請求項１に記載の単相水性溶液。
【請求項５】
前記有機エステル分が、約０．０１％〜１０％の、水に対する重量パーセント（ｗ／ｗ）で存在する、請求項１に記載の単相水性溶液。
【請求項６】
少なくとも１つのアルキルポリグリコシドを含む界面活性剤組成物をさらに含む、請求項１に記載の単相水性溶液。
【請求項７】
単相水性溶液を用いて高分子基体から１つ又は複数のコーティングを除去するための方法１００であって、
水と１つ以上のアルキル二酸ジアルキルエステルを含む有機エステル分とを含む単相水性溶液を提供すること１０２、
１つ又は複数のコーティングを含む高分子基体を提供すること１０４、及び
前記高分子基体から１つ又は複数のコーティングの一部を除去するのに効果的な条件下で処理混合物を形成するべく前記単相水性溶液と前記高分子基体を接触させること１０６、
を含む、方法。
【請求項８】
前記高分子基体が、ポリエチレン（ＰＥ）、ポリプロピレン（ＰＰ）、ポリカーボネート（ＰＣ）、アクリロニトリル−ブタジエン−スチレン（ＡＢＳ）、ポリカーボネート／アクリロニトリル−ブタジエン−スチレン（ＰＣ／ＡＢＳ）、ポリカーボネート／アクリロニトリル−スチレン−アクリレート（ＰＣ／ＡＳＡ）、及び熱可塑性オレフィンポリマーのうちの１つ又は複数を含む、請求項７に記載の方法。
【請求項９】
前記１つ又は複数のコーティングが、塗料、インク、染料、粉体塗装、紙ラベル、プラスチックラベル、接着剤、防護コーティング、メタライズドコーティング、及びバイオコーティングのうちの１つ又は複数を含む、請求項７に記載の方法。
【請求項１０】
前記高分子基体から１つ又は複数のコーティングの一部を除去するのに効果的な条件が、前記処理混合物を加熱すること、前記処理混合物を攪拌すること、前記１つ又は複数のコーティングの一部の除去後に前記高分子基体を回収すること、又は前記単相水性溶液の少なくとも一部を回収することのうちの少なくとも１つを含む、請求項７に記載の方法。
【請求項１１】
前記高分子基体から１つ又は複数のコーティングの一部を除去するのに効果的な条件が、前記処理混合物を約６０℃〜１００℃の温度で加熱することを含む、請求項７に記載の方法。
【請求項１２】
前記単相水性溶液を提供することが、前記単相水性溶液を形成するべく水に対する或る重量パーセント（ｗ／ｗ）の前記１つ以上のアルキル二酸ジアルキルエステルを提供することを含み、前記重量パーセントが約０．０１％〜１０％である、請求項７に記載の方法。
【請求項１３】
前記１つ以上のアルキル二酸ジアルキルエステルの各ジアルキルエステルアルキル基が、独立してＣ１〜Ｃ４アルキルである、請求項７に記載の方法。
【請求項１４】
前記有機エステル分が、アジピン酸ジメチル又はグルタル酸ジメチルのうちの１つ又は複数を含む、請求項７に記載の方法。
【請求項１５】
前記単相水性溶液が、少なくとも１つのアルキルポリグリコシドを含む界面活性剤組成物をさらに含む、請求項７に記載の方法。
【請求項１６】
高分子基体から１つ又は複数のコーティングを除去するための単相水性溶液を作製するためのキット２００であって、
１つ以上のアルキル二酸ジアルキルエステルを含む有機キット成分２０２と、
指示２０４と、を含み、前記指示が、前記単相水性溶液を形成するべく前記有機キット成分を水と組み合わせるようにユーザを誘導する、
キット。
【請求項１７】
前記指示が、ポリエチレン（ＰＥ）、ポリプロピレン（ＰＰ）、ポリカーボネート（ＰＣ）、アクリロニトリル−ブタジエン−スチレン（ＡＢＳ）、ポリカーボネート／アクリロニトリル−ブタジエン−スチレン（ＰＣ／ＡＢＳ）、ポリカーボネート／アクリロニトリル−スチレン−アクリレート（ＰＣ／ＡＳＡ）、及び熱可塑性オレフィンポリマーのうちの１つ又は複数を含む前記高分子基体を用いるようにユーザを誘導し、１つ又は複数のコーティングを含む前記高分子基体が、塗料、インク、染料、粉体塗装、紙ラベル、プラスチックラベル、接着剤、防護コーティング、メタライズドコーティング、及びバイオコーティングのうちの１つ又は複数を含む、請求項１６に記載のキット。
【請求項１８】
前記指示が、前記処理混合物を加熱すること、前記処理混合物を攪拌すること、前記１つ又は複数のコーティングの一部の除去後に前記高分子基体を回収すること、及び前記単相水性溶液の少なくとも一部を回収することのうちの少なくとも１つによって、前記１つ又は複数のコーティングを含む前記高分子基体から前記１つ又は複数のコーティングを除去するようにユーザをさらに誘導する、請求項１６に記載のキット。
【請求項１９】
前記指示が、前記単相水性溶液を形成するべく水に対する或る重量パーセント（ｗ／ｗ）の前記有機キット成分を組み合わせるようにユーザを誘導し、前記重量パーセントが約０．０１％〜１０％である、請求項１６に記載のキット。
【請求項２０】
前記有機キット成分が、アジピン酸ジメチル又はグルタル酸ジメチルのうちの１つ又は複数を含む、請求項１６に記載のキット。
【請求項２１】
前記有機キット成分が、少なくとも１つのアルキルポリグリコシドを含む界面活性剤組成物をさらに含む、請求項１６に記載のキット。
【発明の詳細な説明】
【技術分野】
【０００１】
関連出願への相互参照
本願は、２０１４年８月１９日に出願された米国特許仮出願第６２／０３９，２１８号の優先権を主張するものであり、引用によりその全体を本明細書に組み入れる。
【背景技術】
【０００２】
リサイクルプロセスで生成されるプラスチックリグラインドなどの高分子基体は望ましくないコーティングを含む場合がある。例えば、コーティングは、インク、ラベル、接着剤、金属フィルムなどを含む場合がある。プラスチック製品を製造するための再生原料のような基体のさらなる使用の前に望ましくないコーティングを除去するべくこうした高分子基体を処理することが望ましい。既存のプロセスは、コーティングを除去するのに苛性の強い溶液、高温及び／又は高圧、又は高価な試薬を用いる。
【発明の概要】
【発明が解決しようとする課題】
【０００３】
本願は、高分子基体からのコーティングの除去は困難な試みである場合があると理解している。
【課題を解決するための手段】
【０００４】
一実施形態では、単相水性溶液が提供される。単相水性溶液は、高分子基体から１つ又は複数のコーティングを除去することができる。単相水性溶液は、少なくとも約９０重量％の水を含んでいてもよい。単相水性溶液は、１つ以上のアルキル二酸ジアルキルエステルから本質的になる有機エステル分を含んでいてもよい。
【０００５】
別の実施形態では、処理混合物が提供される。処理混合物は、高分子基体を含んでいてもよい。高分子基体は、１つ又は複数のコーティングを含んでいてもよい。処理混合物は、単相水性溶液を含んでいてもよい。単相水性溶液は、水と有機エステル分を含んでいてもよい。有機エステル分は、１つ以上のアルキル二酸ジアルキルエステルを含んでいてもよい、から本質的になってもよい、又はからなってもよい。
【０００６】
一実施形態では、方法が提供される。方法は、単相水性溶液を用いて高分子基体から１つ又は複数のコーティングを除去することを含んでいてもよい。方法は、単相水性溶液を提供することを含んでいてもよい。単相水性溶液は、水と有機エステル分を含んでいてもよい。有機エステル分は、１つ以上のアルキル二酸ジアルキルエステルを含んでいてもよい。方法は、高分子基体を提供することを含んでいてもよい。高分子基体は、１つ又は複数のコーティングを含んでいてもよい。方法は、高分子基体から１つ又は複数のコーティングの一部を除去するのに効果的な条件下で処理混合物を形成するべく単相水性溶液と高分子基体を接触させることを含んでいてもよい。
【０００７】
別の実施形態では、高分子基体から１つ又は複数のコーティングを除去するための単相水性溶液を作製するためのキットが提供される。キットは、１つ以上のアルキル二酸ジアルキルエステルを含む有機キット成分を含んでいてもよい。キットは、指示を含んでいてもよい。指示は、単相水性溶液を形成するべく有機キット成分を水と組み合わせるようにユーザを誘導してもよい。
【０００８】
本明細書に組み込まれ、その一部をなす添付図は、例示的な方法及び装置を例示しており、例示的な実施形態を単に例示するのに用いられる。
【図面の簡単な説明】
【０００９】
【図１】例示的な方法を説明する流れ図である。
【図２】例示的なキットのブロック図である。
【図３】実施例２の結果を報告する表である。
【発明を実施するための形態】
【００１０】
本願は、例えば、実施例１及び実施例２で実証されるように、高分子基体から１つ又は複数のコーティングを除去するための組成物、処理混合物、方法、及びキットに関する。
【００１１】
種々の実施形態において、単相水性溶液が提供される。単相水性溶液は、高分子基体から１つ又は複数のコーティングを除去することができる。単相水性溶液は、少なくとも約９０重量％の水を含んでいてもよい。単相水性溶液は、１つ以上のアルキル二酸ジアルキルエステルから本質的になる有機エステル分を含んでいてもよい。本明細書で用いられる場合のアルキル二酸ジアルキルエステルはまた、二塩基酸エステル又はアルキルジカルボン酸のエステルと呼ばれる場合がある。
【００１２】
種々の実施形態は、本明細書において「含む（ｉｎｃｌｕｄｉｎｇ）」という用語、又は請求項において「含む（ｃｏｍｐｒｉｓｉｎｇ）」という用語及びそれらの文法的変異形を用いる場合がある。こうした各実施形態に関して、「含む（ｃｏｍｐｒｉｓｉｎｇ）」という用語が「〜から本質的になる」及び「〜からなる」で置き換えられる、対応するさらなる実施形態が明白に考慮される。例えば、単相水性溶液は、水と有機エステル分から本質的になってもよい。さらに、例えば、単相水性溶液は、水と有機エステル分からなってもよい。
【００１３】
或る実施形態では、有機エステル分は、１つ以上のアルキル二酸ジアルキルエステルを含んでいてもよい。或る実施形態では、有機エステル分は、２つ以上のアルキル二酸ジアルキルエステルを含んでいてもよい。有機エステル分は、２つのアルキル二酸ジアルキルエステルから本質的になってもよい又はからなってもよい。有機エステル分は、約１：１０〜約１：１、約１：５〜約１：１、約３：１０〜約１：１、約２：５〜約１：１、約１：２〜約１：１、約３：５〜約１：１、約７：１０〜約１：１、約４：５〜約１：１、約１：１０〜約４：５、約１：１０〜約７：１０、約１：１０〜約３：５、約１：１０〜約１：２、約１：１０〜約２：５、約１：１０〜約３：１０、約１：１０〜約１：５、約１：５〜約４：５、約３：１０〜約７：１０、又は約２：５〜約３：５のうちの１つ又は複数の重量比（ｗ／ｗ）の２つのアルキル二酸ジアルキルエステルを含んでいてもよい。
【００１４】
いくつかの実施形態では、１つ以上のアルキル二酸ジアルキルエステルのそれぞれのアルキル二酸アルキル基は、独立して、Ｃ２〜Ｃ１０アルキル、又はＣ１〜Ｃ４アルキル又はアリールで置換されるＣ２〜Ｃ１０アルキルのうちの１つであってもよい。アルキル二酸アルキル基は、二塩基酸エステルのジカルボキシレート単位を連結するアルキレン基と呼ばれる場合がある。１つ以上のアルキル二酸ジアルキルエステルのそれぞれのアルキル二酸アルキル基は、独立して又は共同して、例えば、独立して、Ｃ２〜Ｃ８アルキル、又はＣ１〜Ｃ４アルキルで置換されるＣ２〜Ｃ８アルキルのうちの１つであってもよい。１つ以上のアルキル二酸ジアルキルエステルのそれぞれのアルキル二酸アルキル基は、独立してＣ２〜Ｃ５アルキルであってもよい。例えば、１つ以上のアルキル二酸ジアルキルエステルのそれぞれのアルキル二酸基は、独立して、エタン二酸基、プロパン二酸基、ブタン二酸基、ペンタン二酸基、ヘキサン二酸基、又はヘプタン二酸基のうちの１つ又は複数であってもよい。
【００１５】
種々の実施形態において、１つ以上のアルキル二酸ジアルキルエステルのジアルキルエステルアルキル基は、独立して又は共同して、例えば、独立してＣ１〜Ｃ４アルキルであってもよい。１つ以上のアルキル二酸ジアルキルエステルのそれぞれの各ジアルキルエステルアルキル基はメチルであってもよい。有機エステル分は、アジピン酸ジメチル又はグルタル酸ジメチルのうちの１つ又は複数を含んでいてもよい。有機エステル分は、アジピン酸ジメチル及びグルタル酸ジメチルから本質的になってもよい又はからなってもよい。
【００１６】
種々の実施形態において、有機エステル分は、０．０１％〜１０％、０．０１％〜９％、０．０１％〜８％、０．０１％〜７％、０．０１％〜６％、０．０１％〜５％、０．０１％〜４％、０．０１％〜３％、０．０１％〜２％、０．０１％〜１％、０．０５％〜１０％、０．１％〜１０％、０．５％〜１０％、１％〜１０％、１％〜９％、２％〜８％、３％〜７％、４％〜６％、及び５％、例えば、０．０１％〜１０％、のうちの１つ又は複数の水に対する重量パーセント（ｗ／ｗ）によって特徴付けられる場合がある。
【００１７】
或る実施形態では、単相水性溶液は、界面活性剤組成物を含んでいてもよい。界面活性剤組成物は、アルキルポリグリコシド、アルキルポリグルコシド、アルキルグリコシド、アルキルグルコシド、これらの組み合わせなどのうちの１つ又は複数を含んでいてもよい。界面活性剤組成物は、約０．０１〜約０．５、約０．０２５〜約０．４、約０．０５〜約０．３、約０．０７５〜約０．２５、約０．１〜約０．２、約０．１５、又は上記のいずれかに基づく値又は値の範囲、例えば、約０．０１％〜約０．５％、又は約０．１５％、のうちの１つ又は複数の水に対する重量百分率（ｗ／ｗ）で単相水性溶液中に存在してもよい。適切なアルキルポリグリコシド組成物は、例えば、商標名ＧＬＵＣＯＰＯＮ（登録商標）、例えば、ＧＬＵＣＯＰＯＮ（登録商標）４２０ＵＰ、ＧＬＵＣＯＰＯＮ（登録商標）４２５Ｎなど（ＢＡＳＦ  Ｃｏｒｐｏｒａｔｉｏｎ、ニュージャージー州フローラムパーク）で販売される組成物を含む場合がある。例えば、ＧＬＵＣＯＰＯＮ（登録商標）４２０ＵＰは、約０．０１％〜約０．５％、例えば、約０．１５％の重量百分率で使用される場合がある。適切なアルキルポリグリコシド組成物は、２つ以上のアルキルポリグリコシドを含む場合があり、例えば、ＧＬＵＣＯＰＯＮ（登録商標）４２０ＵＰは、カプリリル（Ｃ８）グルコシド及びミリスチル（Ｃ１４）グルコシドを含む場合がある。
【００１８】
種々の実施形態において、単相水性溶液は、単相水性溶液の少なくとも約９１％、約９２％、約９３％、約９４％、約９５％、約９６％、約９７％、約９８％、約９９％、約９９．１％、約９９．２％、約９９．２５％、約９９．３％、約９９．４％、約９９．５％、又は約９９．６％のうちの１つ又は複数の重量パーセント濃度（ｗ／ｗ）の水を含んでいてもよい。
【００１９】
種々の実施形態において、処理混合物が提供される。処理混合物は、高分子基体を含んでいてもよい。高分子基体は、１つ又は複数のコーティングを含んでいてもよい。処理混合物は、単相水性溶液を含んでいてもよい。単相水性溶液は、水と有機エステル分を含んでいてもよい。有機エステル分は、１つ以上のアルキル二酸ジアルキルエステルを含んでいてもよい、から本質的になってもよい、又はからなってもよい。
【００２０】
いくつかの実施形態では、高分子基体は、例えば、プラスチックリグラインドの一部として、例えば、リサイクルプロセスの一部として、細片又は微粒子である場合がある。高分子基体、例えば、プラスチックリグラインドは、細片又は粒子である場合があり、再生プラスチック、未使用プラスチック、剛性、可撓性、繊維性、繊維強化樹脂、それらの混合物などのうちの１つ又は複数である場合がある。高分子基体は、ポリエチレン（ＰＥ）、ポリプロピレン（ＰＰ）、ポリカーボネート（ＰＣ）、アクリロニトリル−ブタジエン−スチレン（ＡＢＳ）、ポリカーボネート／アクリロニトリル−ブタジエン−スチレン（ＰＣ／ＡＢＳ）、ポリカーボネート／アクリロニトリル−スチレン−アクリレート（ＰＣ／ＡＳＡ）、及び熱可塑性オレフィンポリマー（ＴＰＯ）のうちの１つ又は複数を含む場合がある。１つ又は複数のコーティングは、塗料、インク、染料、粉体塗装、紙ラベル、プラスチックラベル、接着剤、防護コーティング、メタライズドコーティング、及びバイオコーティングのうちの１つ又は複数を含む場合がある。バイオコーティングは、例えば、タンパク質ベースのもの、オリゴ糖ベースのものなどである場合がある。メタライズドコーティングは、連続するフィルム又は金属微粒子を含む場合がある。自動車塗料コーティングは、本明細書に記載の単相水性溶液、処理混合物、方法、及びキットによる除去に特に適する場合がある。
【００２１】
処理混合物の種々の実施形態において、単相水性溶液は、単相水性溶液の少なくとも約９０％、約９１％、約９２％、約９３％、約９４％、約９５％、約９６％、約９７％、約９８％、約９９％、約９９．１％、約９９．２％、約９９．２５％、約９９．３％、約９９．４％、約９９．５％、又は約９９．６％のうちの１つ又は複数の重量パーセント濃度（ｗ／ｗ）の水を含んでいてもよい。
【００２２】
種々の実施形態において、単相水性溶液は、水と有機エステル分から本質的になってもよい又はからなってもよい。有機エステル分は、２つ以上のアルキル二酸ジアルキルエステルを含んでいてもよい、から本質的になってもよい、又はからなってもよい。有機エステル分は、約１：１０〜約１：１、約１：５〜約１：１、約３：１０〜約１：１、約２：５〜約１：１、約１：２〜約１：１、約３：５〜約１：１、約７：１０〜約１：１、約４：５〜約１：１、約１：１０〜約４：５、約１：１０〜約７：１０、約１：１０〜約３：５、約１：１０〜約１：２、約１：１０〜約２：５、約１：１０〜約３：１０、約１：１０〜約１：５、約１：５〜約４：５、約３：１０〜約７：１０、及び約２：５〜約３：５のうちの１つ又は複数の重量比（ｗ／ｗ）の２つのアルキル二酸ジアルキルエステルを含む。
【００２３】
処理混合物の種々の実施形態において、１つ以上のアルキル二酸ジアルキルエステルのそれぞれのアルキル二酸アルキル基は、独立して、Ｃ２〜Ｃ１０アルキル、Ｃ１〜Ｃ４アルキル又はアリールで置換されるＣ２〜Ｃ１０アルキルのうちの１つであってもよい。１つ以上のアルキル二酸ジアルキルエステルのそれぞれのアルキル二酸アルキル基は、独立して又は共同して、例えば、独立して、Ｃ２〜Ｃ８アルキル又はＣ１〜Ｃ４アルキルで置換されるＣ２〜Ｃ８アルキルのうちの１つであってもよい。１つ以上のアルキル二酸ジアルキルエステルのそれぞれのアルキル二酸アルキル基は、独立してＣ２〜Ｃ５アルキルであってもよい。例えば、１つ以上のアルキル二酸ジアルキルエステルのそれぞれのアルキル二酸基は、独立して、エタン二酸基、プロパン二酸基、ブタン二酸基、ペンタン二酸基、ヘキサン二酸基、又はヘプタン二酸基のうちの１つ又は複数であってもよい。
【００２４】
処理混合物の種々の実施形態において、１つ以上のアルキル二酸ジアルキルエステルのジアルキルエステルアルキル基は、独立して又は共同して、例えば、独立してＣ１〜Ｃ４アルキルであってもよい。１つ以上のアルキル二酸ジアルキルエステルのそれぞれの各ジアルキルエステルアルキル基は、メチル（Ｃ１）であってもよい。有機エステル分は、アジピン酸ジメチル又はグルタル酸ジメチルのうちの１つ又は複数を含んでいてもよい。有機エステル分は、アジピン酸ジメチル及びグルタル酸ジメチルから本質的になってもよい又はからなってもよい。
【００２５】
処理混合物の種々の実施形態において、有機エステル分は、０．０１％〜１０％、０．０１％〜９％、０．０１％〜８％、０．０１％〜７％、０．０１％〜６％、０．０１％〜５％、０．０１％〜４％、０．０１％〜３％、０．０１％〜２％、０．０１％〜１％、０．０５％〜１０％、０．１％〜１０％、０．５％〜１０％、１％〜１０％、１％〜９％、２％〜８％、３％〜７％、４％〜６％、及び５％、例えば、０．０１％〜１０％、のうちの１つ又は複数の水に対する重量パーセント（ｗ／ｗ）で存在してもよい。
【００２６】
或る実施形態では、単相水性溶液は、界面活性剤組成物を含んでいてもよい。界面活性剤組成物は、アルキルポリグリコシド、アルキルポリグルコシド、アルキルグリコシド、アルキルグルコシド、これらの組み合わせなどのうちの１つ又は複数を含んでいてもよい。界面活性剤組成物は、約０．０１〜約０．５、約０．０２５〜約０．４、約０．０５〜約０．３、約０．０７５〜約０．２５、約０．１〜約０．２、約０．１５、又は上記のいずれかに基づく値又は値の範囲、例えば、約０．０１％〜約０．５％、又は約０．１５％、のうちの１つ又は複数の水に対する重量百分率（ｗ／ｗ）で単相水性溶液中に存在してもよい。適切なアルキルポリグリコシド組成物は、例えば、商標名ＧＬＵＣＯＰＯＮ（登録商標）、例えば、ＧＬＵＣＯＰＯＮ（登録商標）４２０ＵＰ、ＧＬＵＣＯＰＯＮ（登録商標）４２５Ｎなど（ＢＡＳＦ  Ｃｏｒｐｏｒａｔｉｏｎ、ニュージャージー州フローラムパーク）で販売される組成物を含む場合がある。例えば、ＧＬＵＣＯＰＯＮ（登録商標）４２０ＵＰは、約０．０１％〜約０．５％、例えば、約０．１５％の重量百分率で使用される場合がある。適切なアルキルポリグリコシド組成物は、２つ以上のアルキルポリグリコシドを含む場合があり、例えば、ＧＬＵＣＯＰＯＮ（登録商標）４２０ＵＰは、カプリリル（Ｃ８）グルコシド及びミリスチル（Ｃ１４）グルコシドを含む場合がある。
【００２７】
種々の実施形態において、方法が提供される。図１は、単相水性溶液を用いて高分子基体から１つ又は複数のコーティングを除去するための例示的な方法１００の流れ図である。方法１００は、単相水性溶液を提供すること１０２を含んでいてもよい。単相水性溶液は、水と有機エステル分を含んでいてもよい。有機エステル分は、１つ以上のアルキル二酸ジアルキルエステルを含んでいてもよい。方法１００は、高分子基体を提供すること１０４を含んでいてもよい。高分子基体は、１つ又は複数のコーティングを含んでいてもよい。方法１００は、高分子基体から１つ又は複数のコーティングの一部を除去するのに効果的な条件下で処理混合物を形成するべく単相水性溶液と高分子基体を接触させること１０６を含んでいてもよい。
【００２８】
方法のいくつかの実施形態では、高分子基体は、例えば、プラスチックリグラインドの一部として、例えば、リサイクルプロセスの一部として、細片又は微粒子である場合がある。高分子基体、例えば、プラスチックリグラインドは、細片又は粒子である場合があり、再生プラスチック、未使用プラスチック、剛性、可撓性、繊維性、繊維強化樹脂、それらの混合物などのうちの１つ又は複数である場合がある。高分子基体は、ポリエチレン（ＰＥ）、ポリプロピレン（ＰＰ）、ポリカーボネート（ＰＣ）、アクリロニトリル−ブタジエン−スチレン（ＡＢＳ）、ポリカーボネート／アクリロニトリル−ブタジエン−スチレン（ＰＣ／ＡＢＳ）、ポリカーボネート／アクリロニトリル−スチレン−アクリレート（ＰＣ／ＡＳＡ）、及び熱可塑性オレフィンポリマー（ＴＰＯ）のうちの１つ又は複数を含む場合がある。１つ又は複数のコーティングは、塗料、インク、染料、粉体塗装、紙ラベル、プラスチックラベル、接着剤、防護コーティング、メタライズドコーティング、又はバイオコーティングのうちの１つ又は複数を含む場合がある。バイオコーティングは、例えば、タンパク質ベースのもの、オリゴ糖ベースのものなどである場合がある。メタライズドコーティングは、連続するフィルム又は金属微粒子を含む場合がある。
【００２９】
種々の実施形態において、高分子基体から１つ又は複数のコーティングの一部を除去するのに効果的な条件は、処理混合物を加熱すること、処理混合物を攪拌すること、１つ又は複数のコーティングの一部の除去後に高分子基体を回収すること、又は単相水性溶液の少なくとも一部を回収することのうちの少なくとも１つを含んでいてもよい。高分子基体から１つ又は複数のコーティングの一部を除去するのに効果的な条件下で処理混合物を形成するべく単相水性溶液と高分子基体を接触させることは、バッチ操作及び連続操作のうちの１つ又は複数を含んでいてもよい。高分子基体から１つ又は複数のコーティングの一部を除去するのに効果的な条件は、例えば、約６０℃から約１００℃までの間、約６５℃から約１００℃までの間、約７０℃から約１００℃までの間、約７５℃から約９５℃までの間、約８０℃から約９０℃までの間、約８０℃から約８５℃までの間、約８５℃、約８２℃、又は上記の約の値のいずれか２つの間、又は上記の約の値のいずれか、例えば、約６０℃から約１００℃までの間、又は約８５℃、のうちの１つ又は複数の温度で処理混合物を加熱することを含んでいてもよい。
【００３０】
種々の実施形態において、方法は、最初のコーティング量を判断すること、処理混合物を加熱及び攪拌すること、最初のコーティング量の約のパーセンテージよりも少ない処理コーティング量を判断すること、及び処理コーティング量が最初のコーティング量の約のパーセンテージよりも少ないと判断すると高分子基体を回収することのうちの１つ又は複数を含んでいてもよい。最初のコーティング量のパーセンテージは、例えば、約２０％、約１５％、約１４％、約１３％、約１２％、約１１％、約１０％、約９％、約８％、約７％、約６％、約５％、約４％、約３％、約２％、及び約１％のうちの１つ又は複数であってもよい。
【００３１】
種々の実施形態において、方法は、１つ又は複数のコーティングの一部の除去後に高分子基体を回収することを含んでいてもよい。方法は、１つ又は複数のコーティングの一部の除去後に単相水性溶液の少なくとも一部を回収することを含んでいてもよい。
【００３２】
方法の種々の実施形態において、単相水性溶液を提供することは、単相水性溶液を形成するべく水に対する或る重量パーセント（ｗ／ｗ）の１つ以上のアルキル二酸ジアルキルエステルを含む有機エステル分を提供することを含んでいてもよい。重量パーセントは、０．０１％〜１０％、０．０１％〜９％、０．０１％〜８％、０．０１％〜７％、０．０１％〜６％、０．０１％〜５％、０．０１％〜４％、０．０１％〜３％、０．０１％〜２％、０．０１％〜１％、０．０５％〜１０％、０．１％〜１０％、０．５％〜１０％、１％〜１０％、１％〜９％、２％〜８％、３％〜７％、４％〜６％、及び５％、例えば、０．０１％〜１０％、のうちの１つ又は複数であってもよい。水と有機エステル分から本質的になる又はからなる単相水性溶液が調製されてもよい。
【００３３】
方法の種々の実施形態において、単相水性溶液は、単相水性溶液の少なくとも約９０％、約９１％、約９２％、約９３％、約９４％、約９５％、約９６％、約９７％、約９８％、約９９％、約９９．１％、約９９．２％、約９９．２５％、約９９．３％、約９９．４％、約９９．５％、及び約９９．６％のうちの１つ又は複数の重量パーセント濃度（ｗ／ｗ）の水を含んでいてもよい。
【００３４】
方法の種々の実施形態において、水と有機エステル分から本質的になる又はからなる単相水性溶液が調製されてもよい。有機エステル分は、２つ以上のアルキル二酸ジアルキルエステルを含んでいてもよい、から本質的になってもよい、又はからなってもよい。有機エステル分は、約１：１０〜約１：１、約１：５〜約１：１、約３：１０〜約１：１、約２：５〜約１：１、約１：２〜約１：１、約３：５〜約１：１、約７：１０〜約１：１、約４：５〜約１：１、約１：１０〜約４：５、約１：１０〜約７：１０、約１：１０〜約３：５、約１：１０〜約１：２、約１：１０〜約２：５、約１：１０〜約３：１０、約１：１０〜約１：５、約１：５〜約４：５、約３：１０〜約７：１０、及び約２：５〜約３：５のうちの１つ又は複数の重量比（ｗ／ｗ）の２つのアルキル二酸ジアルキルエステルを含む。
【００３５】
方法の種々の実施形態において、１つ以上のアルキル二酸ジアルキルエステルのそれぞれのアルキル二酸アルキル基は、独立して、Ｃ２〜Ｃ１０アルキル、Ｃ１〜Ｃ４アルキル又はアリールで置換されるＣ２〜Ｃ１０アルキルのうちの１つであってもよい。１つ以上のアルキル二酸ジアルキルエステルのそれぞれのアルキル二酸アルキル基は、独立して又は共同して、例えば、独立して、Ｃ２〜Ｃ８アルキル又はＣ１〜Ｃ４アルキルで置換されるＣ２〜Ｃ８アルキルのうちの１つであってもよい。１つ以上のアルキル二酸ジアルキルエステルのそれぞれのアルキル二酸アルキル基は、独立してＣ２〜Ｃ５アルキルであってもよい。例えば、１つ以上のアルキル二酸ジアルキルエステルのそれぞれのアルキル二酸基は、独立して、エタン二酸基、プロパン二酸基、ブタン二酸基、ペンタン二酸基、ヘキサン二酸基、及びヘプタン二酸基のうちの１つ又は複数であってもよい。
【００３６】
方法の種々の実施形態において、１つ以上のアルキル二酸ジアルキルエステルのジアルキルエステルアルキル基は、独立して又は共同して、例えば、独立してＣ１〜Ｃ４アルキルであってもよい。１つ以上のアルキル二酸ジアルキルエステルのそれぞれの各ジアルキルエステルアルキル基はメチルであってもよい。有機エステル分は、アジピン酸ジメチル又はグルタル酸ジメチルのうちの１つ又は複数を含んでいてもよい。有機エステル分は、アジピン酸ジメチル及びグルタル酸ジメチルから本質的になってもよい又はからなってもよい。
【００３７】
方法の或る実施形態では、単相水性溶液は、界面活性剤組成物を含んでいてもよい。界面活性剤組成物は、アルキルポリグリコシド、アルキルポリグルコシド、アルキルグリコシド、アルキルグルコシド、これらの組み合わせなどのうちの１つ又は複数を含んでいてもよい。界面活性剤組成物は、約０．０１〜約０．５、約０．０２５〜約０．４、約０．０５〜約０．３、約０．０７５〜約０．２５、約０．１〜約０．２、約０．１５、又は上記のいずれかに基づく値又は値の範囲、例えば、約０．０１％〜約０．５％、又は約０．１５％、のうちの１つ又は複数の水に対する重量百分率（ｗ／ｗ）で単相水性溶液中に存在してもよい。適切なアルキルポリグリコシド組成物は、例えば、商標名ＧＬＵＣＯＰＯＮ（登録商標）、例えば、ＧＬＵＣＯＰＯＮ（登録商標）４２０ＵＰ、ＧＬＵＣＯＰＯＮ（登録商標）４２５Ｎなど（ＢＡＳＦ  Ｃｏｒｐｏｒａｔｉｏｎ、ニュージャージー州フローラムパーク）で販売される組成物を含む場合がある。例えば、ＧＬＵＣＯＰＯＮ（登録商標）４２０ＵＰは、約０．０１％〜約０．５％、例えば、約０．１５％の重量百分率で使用される場合がある。適切なアルキルポリグリコシド組成物は、２つ以上のアルキルポリグリコシドを含む場合があり、例えば、ＧＬＵＣＯＰＯＮ（登録商標）４２０ＵＰは、カプリリル（Ｃ８）グルコシド及びミリスチル（Ｃ１４）グルコシドを含む場合がある。
【００３８】
種々の実施形態において、キットが提供される。図２は、高分子基体から１つ又は複数のコーティングを除去するための単相水性溶液を作製するための例示的なキット２００のブロック図である。キット２００は、１つ以上のアルキル二酸ジアルキルエステルを含む有機キット成分２０２を含んでいてもよい。キット２００は、指示２０４を含んでいてもよい。指示は、単相水性溶液を形成するべく有機キット成分を水と組み合わせるようにユーザを誘導してもよい。
【００３９】
種々の実施形態において、指示は、ポリエチレン（ＰＥ）、ポリプロピレン（ＰＰ）、ポリカーボネート（ＰＣ）、アクリロニトリル−ブタジエン−スチレン（ＡＢＳ）、ポリカーボネート／アクリロニトリル−ブタジエン−スチレン（ＰＣ／ＡＢＳ）、ポリカーボネート／アクリロニトリル−スチレン−アクリレート（ＰＣ／ＡＳＡ）、及び熱可塑性オレフィンポリマー（ＴＰＯ）のうちの１つ又は複数を含む高分子基体を用いるようにユーザを誘導してもよい。指示は、塗料、インク、染料、粉体塗装、紙ラベル、プラスチックラベル、接着剤、防護コーティング、メタライズドコーティング、又はバイオコーティングのうちの１つ又は複数で被覆された高分子基体を用いるようにユーザを誘導してもよい。
【００４０】
種々の実施形態において、指示は、処理混合物を加熱すること、処理混合物を攪拌すること、１つ又は複数のコーティングの一部の除去後に高分子基体を回収すること、又は単相水性溶液の少なくとも一部を回収することのうちの少なくとも１つを含めて、高分子基体から１つ又は複数のコーティングを除去するようにユーザを誘導してもよい。
【００４１】
種々の実施形態において、指示は、バッチ操作又は連続操作のうちの１つによって１つ又は複数のコーティングを含む高分子基体から１つ又は複数のコーティングを除去するようにユーザを誘導してもよい。指示は、例えば、約６０℃から約１００℃までの間、約６５℃から約１００℃までの間、約７０℃から約１００℃までの間、約７５℃から約９５℃までの間、約８０℃から約９０℃までの間、約８０℃から約８５℃までの間、約８５℃、約８２℃、又は上記の約の値のいずれか２つの間、又は上記の約の値のいずれか、例えば、約６０℃から約１００℃までの間、又は約８５℃、のうちの１つ又は複数の温度で処理混合物を加熱することによって高分子基体から１つ又は複数のコーティングを除去するようにユーザを誘導してもよい。
【００４２】
種々の実施形態において、指示は、最初のコーティング量を判断すること、処理混合物を加熱及び攪拌すること、最初のコーティング量の約のパーセンテージよりも少ない処理コーティング量を判断すること、及び処理コーティング量が最初のコーティング量の約のパーセンテージよりも少ないと判断すると高分子基体を回収することのうちの１つ又は複数によって高分子基体から１つ又は複数のコーティングを除去するようにユーザを誘導してもよい。最初のコーティング量のパーセンテージは、約２０％、約１５％、約１４％、約１３％、約１２％、約１１％、約１０％、約９％、約８％、約７％、約６％、約５％、約４％、約３％、約２％、及び約１％のうちの１つ又は複数であってもよい。
【００４３】
種々の実施形態において、指示は、単相水性溶液を形成するべく水に対する或る重量パーセント（ｗ／ｗ）の有機キット成分を組み合わせるようにユーザを誘導してもよい。重量パーセントは、０．０１％〜１０％、０．０１％〜９％、０．０１％〜８％、０．０１％〜７％、０．０１％〜６％、０．０１％〜５％、０．０１％〜４％、０．０１％〜３％、０．０１％〜２％、０．０１％〜１％、０．０５％〜１０％、０．１％〜１０％、０．５％〜１０％、１％〜１０％、１％〜９％、２％〜８％、３％〜７％、４％〜６％、及び５％、例えば、０．０１％〜１０％、のうちの１つ又は複数であってもよい。
【００４４】
種々の実施形態において、有機キット成分２０２は、１つ以上のアルキル二酸ジアルキルエステルから本質的になってもよい又はからなってもよい。有機キット成分２０２は、２つ以上のアルキル二酸ジアルキルエステルを含んでいてもよい、から本質的になってもよい、又はからなってもよい。有機キット成分２０２は、原液混合物、水性濃縮液、又は例えばすぐに使用できる調製物としての単相水性溶液のうちの１つであってもよい。有機キット成分２０２は、約１：１０〜約１：１、約１：５〜約１：１、約３：１０〜約１：１、約２：５〜約１：１、約１：２〜約１：１、約３：５〜約１：１、約７：１０〜約１：１、約４：５〜約１：１、約１：１０〜約４：５、約１：１０〜約７：１０、約１：１０〜約３：５、約１：１０〜約１：２、約１：１０〜約２：５、約１：１０〜約３：１０、約１：１０〜約１：５、約１：５〜約４：５、約３：１０〜約７：１０、及び約２：５〜約３：５のうちの１つ又は複数の重量比（ｗ／ｗ）の２つのアルキル二酸ジアルキルエステルを含んでいてもよい。
【００４５】
処理混合物の種々の実施形態において、単相水性溶液は、単相水性溶液の少なくとも約９０％、約９１％、約９２％、約９３％、約９４％、約９５％、約９６％、約９７％、約９８％、約９９％、約９９．１％、約９９．２％、約９９．２５％、約９９．３％、約９９．４％、約９９．５％、又は約９９．６％のうちの１つ又は複数の重量パーセント濃度（ｗ／ｗ）の水を含んでいてもよい。
【００４６】
有機キット成分２０２の種々の実施形態において、１つ以上のアルキル二酸ジアルキルエステルのそれぞれのアルキル二酸アルキル基は、独立して、Ｃ２〜Ｃ１０アルキル、Ｃ１〜Ｃ４アルキル又はアリールで置換されるＣ２〜Ｃ１０アルキルのうちの１つであってもよい。１つ以上のアルキル二酸ジアルキルエステルのそれぞれのアルキル二酸アルキル基は、独立して又は共同して、例えば、独立して、Ｃ２〜Ｃ８アルキル又はＣ１〜Ｃ４アルキルで置換されるＣ２〜Ｃ８アルキルのうちの１つであってもよい。１つ以上のアルキル二酸ジアルキルエステルのそれぞれのアルキル二酸アルキル基は、独立してＣ２〜Ｃ５アルキルであってもよい。例えば、１つ以上のアルキル二酸ジアルキルエステルのそれぞれのアルキル二酸基は、独立して、エタン二酸基、プロパン二酸基、ブタン二酸基、ペンタン二酸基、ヘキサン二酸基、又はヘプタン二酸基のうちの１つ又は複数であってもよい。
【００４７】
有機キット成分２０２の種々の実施形態において、１つ以上のアルキル二酸ジアルキルエステルのジアルキルエステルアルキル基は、独立して又は共同して、例えば、独立してＣ１〜Ｃ４アルキルであってもよい。１つ以上のアルキル二酸ジアルキルエステルのそれぞれの各ジアルキルエステルアルキル基はメチルであってもよい。有機エステル分は、アジピン酸ジメチル又はグルタル酸ジメチルのうちの１つ又は複数を含んでいてもよい。有機エステル分は、アジピン酸ジメチル及びグルタル酸ジメチルから本質的になってもよい又はからなってもよい。
【００４８】
或る実施形態では、有機キット成分２０２は、界面活性剤組成物を含んでいてもよい。界面活性剤組成物は、アルキルポリグリコシド、アルキルポリグルコシド、アルキルグリコシド、アルキルグルコシド、これらの組み合わせなどのうちの１つ又は複数を含んでいてもよい。界面活性剤組成物は、約０．０１〜約０．５、約０．０２５〜約０．４、約０．０５〜約０．３、約０．０７５〜約０．２５、約０．１〜約０．２、約０．１５、又は上記のいずれかに基づく値又は値の範囲、例えば、約０．０１％〜約０．５％、又は約０．１５％、のうちの１つ又は複数の水に対する重量百分率（ｗ／ｗ）で単相水性溶液中に存在してもよい。適切なアルキルポリグリコシド組成物は、例えば、商標名ＧＬＵＣＯＰＯＮ（登録商標）、例えば、ＧＬＵＣＯＰＯＮ（登録商標）４２０ＵＰ、ＧＬＵＣＯＰＯＮ（登録商標）４２５Ｎなど（ＢＡＳＦ  Ｃｏｒｐｏｒａｔｉｏｎ、ニュージャージー州フローラムパーク）で販売される組成物を含む場合がある。例えば、ＧＬＵＣＯＰＯＮ（登録商標）４２０ＵＰは、約０．０１％〜約０．５％、例えば、約０．１５％の重量百分率で使用される場合がある。適切なアルキルポリグリコシド組成物は、２つ以上のアルキルポリグリコシドを含む場合があり、例えば、ＧＬＵＣＯＰＯＮ（登録商標）４２０ＵＰは、カプリリル（Ｃ８）グルコシド及びミリスチル（Ｃ１４）グルコシドを含む場合がある。
【００４９】
実施例
実施例１
約１１，７９３ｋｇの水を混合タンクに加え、およそ８５℃に加熱した。およそ０．９５３ｃｍのメッシュサイズの、自動車塗料コーティングを含む約４９９ｋｇの剛性プラスチックリグラインドを水に加えてスラリーを作製した。塗料コーティングの最初の量を判断した。次いで、約５９０ｋｇのアジピン酸ジメチル及びグルタル酸ジメチルを含む二塩基酸エステル混合物（ＤＢＥ−３、ＤＢＥ（登録商標）エステル、ＩＮＶＩＳＴＡ（商標）、ジョージア州ケネソー）を加えた。混合物を攪拌し、８５℃で加熱し続けた。塗料コーティングの最初の量の約９８％が除去されるまで混合物を監視した。次いで、従来の技術を用いてスラリーを脱水し、すすぎ、乾燥させた。洗浄されたフレークをさらなる使用又はリサイクルのために不要な生成物から分離し、収集した。水性二塩基酸エステル溶液は、回収され、ろ過され、例えば、連続するバッチに加えることによる再使用に適することが見出された。この実施例の二塩基酸エステル溶液は、水だけよりも速く基体からコーティングを除去し、使用される濃度では環境面で良性と判断され、再使用のために経済的にリサイクル可能であった。
【００５０】
実施例２
実施例２に従って行ったいくつかの試験の種々のポリマー基体、ストリッピング組成、反応パラメータ、及び結果の詳細が図３に示される。サンプル手順は以下の通りである。
【００５１】
約５．４４ｋｇの水を混合タンクに加え、およそ８２℃に加熱した。約１．５４ｋｇの熱可塑性オレフィンポリマー材料を水に加え、混合物を約９００ＲＰＭで攪拌した。次いで、約０．６０％（ｗ／ｗ）のアジピン酸ジメチル及びグルタル酸ジメチルを含む二塩基酸エステル混合物（ＤＢＥ−３、ＤＢＥ（登録商標）エステル、ＩＮＶＩＳＴＡ（商標）、ジョージア州ケネソー）、及び０．１５％（ｗ／ｗ）のＧＬＵＣＯＰＯＮ（登録商標）４２０ＵＰ（ＢＡＳＦ  Ｃｏｒｐｏｒａｔｉｏｎ、ニュージャージー州フローラムパーク）を加えた。８時間後に、熱可塑性オレフィンポリマー材料は、＞９８％クリーンとなることが判断された。
【００５２】
図３に示される表で分かるように、単独で又はＧＬＵＣＯＰＯＮ（登録商標）４２０ＵＰなどのアルキルグリコシド組成物と組み合わせて、示された量の二塩基酸エステル混合物を用いると、最良の結果が得られた。
【００５３】
「含む（ｉｎｃｌｕｄｅｓ又はｉｎｃｌｕｄｉｎｇ）」という用語が本明細書又は請求項で用いられる限りにおいて、これは「備える（ｃｏｍｐｒｉｓｉｎｇ）」という用語が請求項で移行語として採用されるときに解釈される場合の該用語と同様に包括的となることを意図される。さらに、「又は」（例えば、Ａ又はＢ）という用語が採用される限りにおいて、これは「Ａ又はＢ又はこれらの両方」を意味することを意図される。出願人らが「両方ではなくＡ又はＢのみ」を示すことを意図するときには、「両方ではなくＡ又はＢのみ」という用語が採用されることになる。したがって、本明細書での「又は」という用語の使用は、包括的使用であって排他的使用ではない。Ｂｒｙａｎ  Ａ．ＧａｒｎｅｒのＡ  Ｄｉｃｔｉｏｎａｒｙ  ｏｆ  Ｍｏｄｅｒｎ  Ｌｅｇａｌ  Ｕｓａｇｅ６２４（第２版、１９９５年）を参照されたい。また、「〜における（ｉｎ）」又は「〜の中に（ｉｎｔｏ）」という用語が本明細書又は請求項で用いられる限りにおいて、これは「〜上の（ｏｎ）」又は「〜上に（ｏｎｔｏ）」をさらに意味することを意図される。「選択的に」という用語が本明細書又は請求項で用いられる限りにおいて、これは装置のユーザが装置の使用中に必要な又は望んだとおりに構成要素の特徴又は機能をアクティブ化又は非アクティブ化することができる構成要素の条件を指すことを意図される。「作動的に結合される」又は「作動的に接続される」という用語が本明細書又は請求項で用いられる限りにおいて、これは特定の構成要素が指定された機能を果たす様態で接続されることを意味することを意図される。「実質的に」という用語が本明細書又は請求項で用いられる限りにおいて、これは特定の構成要素が対象産業で容認可能であるような誤差の度合いでの示される関係性又は品質を有することを意味するように意図される。
【００５４】
本明細書及び請求項で用いられる場合の単数形（「ａ」、「ａｎ」、及び「ｔｈｅ」）は、単数形が明確に定められている場合を除き、複数形を含む。例えば、「化合物」への言及は、単一の化合物ばかりでなく、２つ以上の化合物の混合物を含む場合もある。
【００５５】
本明細書で用いられる場合の数字と併せて用いられる「約」という用語は、数字の±１０％を含むことを意図される。言い換えれば、「約１０」は９〜１１を意味する場合がある。
【００５６】
本明細書で用いられる場合の「随意的な」及び「随意的に」という用語は、後で説明される状況が起こる場合又は起こらない場合があることを意味し、ゆえに、説明は、状況が起こる事例と状況が起こらない事例を含む。
【００５７】
上記のように、本願はその実施形態の説明によって例示されており、実施形態がかなり詳細に説明されているが、付属の請求項の範囲をこうした詳細に制約する又は多少なりとも限定することは出願人らの意図ではない。本願の恩恵に浴する当業者にはさらなる利点及び修正がすぐに分かるであろう。したがって、本願は、そのより広い態様において、具体的な詳細、示される例示的な例、又は言及されるどの装置にも限定されない。発明の一般概念の精神又は範囲から逸脱せずにこうした詳細、例、及び装置からの逸脱がなされ得る。
【００５８】
本明細書で用いられる場合の「置換される」は、そこに含まれる水素原子への１つ又は複数の結合が非水素原子又は非炭素原子への結合によって置換される場合がある、下記の有機基（例えば、アルキル基）を指す。置換される基はまた、炭素（単数又は複数）又は水素（単数又は複数）原子への１つ又は複数の結合がヘテロ原子への二重結合又は三重結合を含む１つ又は複数の結合によって置換される場合がある基を含む。置換される基は、他に規定されない限り、１つ又は複数の置換基で置換される場合がある。或る実施形態では、置換される基は、１、２、３、４、５、又は６つの置換基で置換される場合がある。置換基の例は、ハロゲン（すなわち、Ｆ、Ｃｌ、Ｂｒ、及びＩ）；ヒドロキシル；アルコキシ、アルケノキシ、アリールオキシ、アラルキルオキシ、ヘテロシクリルオキシ、及びヘテロシクリルアルコキシ基；カルボニル（オキソ）；カルボキシル；エステル；ウレタン；オキシム；ヒドロキシルアミン；アルコキシアミン；アラルコキシアミン；チオール；スルフィド；スルホキシド；スルホン；スルホニル；スルホンアミド；アミン；Ｎ−酸化物；ヒドラジン；ヒドラジド；ヒドラゾン；アジド；アミド；尿素；アミジン；グアニジン；エナミン；イミド；イソシアネート；イソチオシアネート；シアネート；チオシアネート；イミン；ニトロ基；又はニトリル（すなわち、ＣＮ）を含む。「ペル（ｐｅｒ）」置換される化合物又は基は、示された置換基で置換されるすべての又は実質的にすべての置換可能位置を有する化合物又は基である。例えば、１，６−ジヨードペルフルオロヘキサンは式Ｃ６Ｆ１２Ｉ２の化合物を示し、この場合のすべての置換可能水素はフッ素原子で置換されている。
【００５９】
置換されるシクロアルキル、アリール、ヘテロシクリル、及びヘテロアリール基などの置換される環基はまた、水素原子への結合が炭素原子への結合で置換される場合がある環及び環系を含む。置換されるシクロアルキル、アリール、ヘテロシクリル、及びヘテロアリール基はまた、下記の置換される又は置換されないアルキル、アルケニル、及びアルキニル基で置換される場合がある。
【００６０】
アルキル基は、１〜１２の炭素原子、通常は１〜１０の炭素、又は或る例では、１〜８、１〜６、又は１〜４の炭素原子を有する直鎖及び分岐鎖アルキル基を含む。直鎖アルキル基の例は、メチル基、エチル基、ｎ−プロピル基、ｎ−ブチル基、ｎ−ペンチル基、ｎ−ヘキシル基、ｎ−ヘプチル基、及びｎ−オクチル基などの基を含む。分岐鎖アルキル基の例は、イソプロピル基、イソブチル基、ｓｅｃ−ブチル基、ｔｅｒｔ−ブチル基、ネオペンチル基、イソペンチル基、及び２，２−ジメチルプロピル基を含むがこれらに限定されない。代表的な置換されるアルキル基は、上記に列挙されるような置換基で１回又は複数回置換される場合があり、限定ではなしに、ハロアルキル（例えば、トリフルオロメチル）、ヒドロキシアルキル、チオアルキル、アミノアルキル、アルキルアミノアルキル、ジアルキルアミノアルキル、アルコキシアルキル、又はカルボキシアルキルを含む。
【００６１】
シクロアルキル基は、３〜１２の炭素原子、又は或る実施形態では、３〜１０、３〜８、又は３〜４、５、又は６の炭素原子を環に有する単環式アルキル基、二環式アルキル基、又は三環式アルキル基を含む。例示的な単環式シクロアルキル基は、シクロプロピル基、シクロブチル基、シクロペンチル基、シクロヘキシル基、シクロヘプチル基、及びシクロオクチル基を含むがこれらに限定されない。或る実施形態では、シクロアルキル基は３〜８の環員を有し、一方、他の実施形態では、環の炭素原子の数は、３〜５、３〜６、又は３〜７の範囲である。二環式及び三環式の環系は、限定はされないが、ビシクロ［２．１．１］ヘキサン、アダマンチル、又はデカリニルなどの、架橋されたシクロアルキル基と縮合環との両方を含む。置換されるシクロアルキル基は、上記の非水素基及び非炭素基で１回又は複数回置換される場合がある。しかしながら、置換されるシクロアルキル基はまた、上記の直鎖又は分岐鎖アルキル基で置換される場合がある環を含む。代表的な置換されるシクロアルキル基は、限定はされないが、上記に挙げたような置換基で置換される場合がある、一置換されたもの又は２，２−、２，３−、２，４−、２，５−、又は２，６−二置換シクロヘキシル基などの一以上置換されたものであってもよい。
【００６２】
アリール基は、ヘテロ原子を含まない環状芳香族炭化水素であってもよい。アリール基は、本明細書では、単環式、二環式、及び三環式の環系を含む。アリール基は、フェニル基、アズレニル基、ヘプタレニル基、ビフェニル基、フルオレニル基、フェナントレニル基、アントラセニル基、インデニル基、インダニル基、ペンタレニル基、及びナフチル基を含むがこれらに限定されない。或る実施形態では、アリール基は、基の環部分に６〜１４の炭素、他の実施形態では、６〜１２又はさらには６〜１０の炭素原子を含む。或る実施形態では、アリール基は、フェニル又はナフチルであってもよい。「アリール基」という文言は、縮合した芳香族−脂肪族環系（例えば、インダニル又はテトラヒドロナフチル）などの縮合環を含む基を含む場合があるが、「アリール基」は、環員のうちの１つに結合されるアルキル基又はハロ基などの他の基を有するアリール基を含まない。むしろ、トリルなどの基は、置換されるアリール基と呼ばれる場合がある。代表的な置換されるアリール基は、一置換される又は一以上置換される場合がある。例えば、一置換されるアリール基は、上記のような置換基で置換される場合がある二、三、四、五、又は六置換されるフェニル又はナフチルを含むがこれらに限定されない。
【００６３】
アラルキル基は、アルキル基の水素結合又は炭素結合が上記のアリール基への結合で置換される場合がある上記のアルキル基であってもよい。或る実施形態では、アラルキル基は、７〜１６の炭素原子、７〜１４の炭素原子、又は７〜１０の炭素原子を含む。置換されるアラルキル基は、基のアルキル部分、アリール部分、又はアルキル部分とアルキル部分との両方で置換される場合がある。代表的なアラルキル基は、４−インダニルエチルなどのベンジル基及びフェネチル基及び縮合した（シクロアルキルアリール）アルキル基を含むがこれらに限定されない。置換されるアラルキルは、上記に挙げた置換基で１回又は複数回置換される場合がある。
【００６４】
本技術の化合物内に２つ以上の結合点を有する（すなわち、二価、三価、又は多価の）本明細書に記載の基は、接尾文字「エン」の使用によって表される場合がある。例えば、二価のアルキル基はアルキレン基である場合があり、二価のアリール基はアリーレン基である場合があり、二価のヘテロアリール基はヘテロアリーレン基などであってもよい。特に、特定のポリマーが、ポリマー繰り返し単位を説明する用語と併せて接尾文字「エン」の使用によって説明される場合がある。
【００６５】
アルコキシ基は、水素原子への結合が上記の置換される又は置換されないアルキル基への炭素原子への結合によって置換される場合がある、ヒドロキシル基（−ＯＨ）であってもよい。直鎖アルコキシ基の例は、メトキシ、エトキシ、プロポキシ、ブトキシ、ペントキシ、又はヘキソキシを含むがこれらに限定されない。分岐鎖アルコキシ基の例は、イソプロポキシ、ｓｅｃ−ブトキシ、ｔｅｒｔ−ブトキシ、イソペントキシ、又はイソヘキソキシを含むがこれらに限定されない。シクロアルコキシ基の例は、シクロプロピルオキシ、シクロブチルオキシ、シクロペンチルオキシ、又はシクロヘキシルオキシを含むがこれらに限定されない。代表的な置換されるアルコキシ基は、上記に列挙されるような置換基で１回又は複数回置換される場合がある。
【００６６】
本明細書で開示される種々の態様及び実施形態は、例示するためのものであって、限定するものとなることを意図されず、その真の範囲及び精神は以下の請求項によって示される。
【図１】
2017526778.tif 000002
【図２】
2017526778.tif 000003
【図３】
2017526778.tif 000004
【手続補正書】
【提出日】平成28年6月17日(2016.6.17)
【手続補正１】
【補正対象書類名】特許請求の範囲
【補正対象項目名】全文
【補正方法】変更
【補正の内容】
【特許請求の範囲】
【請求項１】
高分子基体から１つ又は複数のコーティングを除去するための単相水性溶液であって、
少なくとも約９０重量％の水と、
１つ以上のアルキル二酸ジアルキルエステルから本質的になる有機エステル分と、
を含む単相水性溶液。
【請求項２】
前記１つ以上のアルキル二酸ジアルキルエステルのそれぞれのアルキル二酸アルキル基が、独立して、Ｃ２〜Ｃ１０アルキル、Ｃ１〜Ｃ４アルキル又はアリールで置換されるＣ２〜Ｃ１０アルキル、Ｃ２〜Ｃ８アルキル、Ｃ１〜Ｃ４アルキルで置換されるＣ２〜Ｃ８アルキル、又はＣ２〜Ｃ８アルキルのうちの１つである、請求項１に記載の単相水性溶液。
【請求項３】
前記１つ以上のアルキル二酸ジアルキルエステルの各ジアルキルエステルアルキル基が、独立してＣ１〜Ｃ４アルキルである、請求項１に記載の単相水性溶液。
【請求項４】
前記有機エステル分が、アジピン酸ジメチル及びグルタル酸ジメチルのうちの１つ又は複数を含む、請求項１に記載の単相水性溶液。
【請求項５】
前記有機エステル分が、約０．０１％〜１０％の、水に対する重量パーセント（ｗ／ｗ）で存在する、請求項１に記載の単相水性溶液。
【請求項６】
少なくとも１つのアルキルポリグリコシドを含む界面活性剤組成物をさらに含む、請求項１に記載の単相水性溶液。
【請求項７】
単相水性溶液を用いて高分子基体から１つ又は複数のコーティングを除去するための方法１００であって、
水と１つ以上のアルキル二酸ジアルキルエステルを含む有機エステル分とを含む単相水性溶液を提供すること１０２、
１つ又は複数のコーティングを含む高分子基体を提供すること１０４、及び
前記高分子基体から１つ又は複数のコーティングの一部を除去するのに効果的な条件下で処理混合物を形成するべく前記単相水性溶液と前記高分子基体を接触させること１０６、
を含む、方法。
【請求項８】
前記高分子基体が、ポリエチレン（ＰＥ）、ポリプロピレン（ＰＰ）、ポリカーボネート（ＰＣ）、アクリロニトリル−ブタジエン−スチレン（ＡＢＳ）、ポリカーボネート／アクリロニトリル−ブタジエン−スチレン（ＰＣ／ＡＢＳ）、ポリカーボネート／アクリロニトリル−スチレン−アクリレート（ＰＣ／ＡＳＡ）、及び熱可塑性オレフィンポリマーのうちの１つ又は複数を含む、請求項７に記載の方法。
【請求項９】
前記１つ又は複数のコーティングが、塗料、インク、染料、粉体塗装、紙ラベル、プラスチックラベル、接着剤、防護コーティング、メタライズドコーティング、及びバイオコーティングのうちの１つ又は複数を含む、請求項７に記載の方法。
【請求項１０】
前記高分子基体から１つ又は複数のコーティングの一部を除去するのに効果的な条件が、前記処理混合物を加熱すること、前記処理混合物を攪拌すること、前記１つ又は複数のコーティングの一部の除去後に前記高分子基体を回収すること、又は前記単相水性溶液の少なくとも一部を回収することのうちの少なくとも１つを含む、請求項７に記載の方法。
【請求項１１】
前記高分子基体から１つ又は複数のコーティングの一部を除去するのに効果的な条件が、前記処理混合物を約６０℃〜１００℃の温度で加熱することを含む、請求項７に記載の方法。
【請求項１２】
前記単相水性溶液を提供することが、前記単相水性溶液を形成するべく水に対する或る重量パーセント（ｗ／ｗ）の前記１つ以上のアルキル二酸ジアルキルエステルを提供することを含み、前記重量パーセントが約０．０１％〜１０％である、請求項７に記載の方法。
【請求項１３】
前記１つ以上のアルキル二酸ジアルキルエステルの各ジアルキルエステルアルキル基が、独立してＣ１〜Ｃ４アルキルである、請求項７に記載の方法。
【請求項１４】
前記有機エステル分が、アジピン酸ジメチル及びグルタル酸ジメチルのうちの１つ又は複数を含む、請求項７に記載の方法。
【請求項１５】
前記単相水性溶液が、少なくとも１つのアルキルポリグリコシドを含む界面活性剤組成物をさらに含む、請求項７に記載の方法。
【請求項１６】
高分子基体から１つ又は複数のコーティングを除去するための単相水性溶液を作製するためのキット２００であって、
１つ以上のアルキル二酸ジアルキルエステルを含む有機キット成分２０２と、
指示２０４と、を含み、前記指示が、前記単相水性溶液を形成するべく前記有機キット成分を水と組み合わせるようにユーザを誘導する、
キット。
【請求項１７】
前記指示が、ポリエチレン（ＰＥ）、ポリプロピレン（ＰＰ）、ポリカーボネート（ＰＣ）、アクリロニトリル−ブタジエン−スチレン（ＡＢＳ）、ポリカーボネート／アクリロニトリル−ブタジエン−スチレン（ＰＣ／ＡＢＳ）、ポリカーボネート／アクリロニトリル−スチレン−アクリレート（ＰＣ／ＡＳＡ）、及び熱可塑性オレフィンポリマーのうちの１つ又は複数を含む前記高分子基体を用いるようにユーザを誘導し、１つ又は複数のコーティングを含む前記高分子基体が、塗料、インク、染料、粉体塗装、紙ラベル、プラスチックラベル、接着剤、防護コーティング、メタライズドコーティング、及びバイオコーティングのうちの１つ又は複数を含む、請求項１６に記載のキット。
【請求項１８】
前記指示が、前記処理混合物を加熱すること、前記処理混合物を攪拌すること、前記１つ又は複数のコーティングの一部の除去後に前記高分子基体を回収すること、及び前記単相水性溶液の少なくとも一部を回収することのうちの少なくとも１つによって、前記１つ又は複数のコーティングを含む前記高分子基体から前記１つ又は複数のコーティングを除去するようにユーザをさらに誘導する、請求項１６に記載のキット。
【請求項１９】
前記指示が、前記単相水性溶液を形成するべく水に対する或る重量パーセント（ｗ／ｗ）の前記有機キット成分を組み合わせるようにユーザを誘導し、前記重量パーセントが約０．０１％〜１０％である、請求項１６に記載のキット。
【請求項２０】
前記有機キット成分が、アジピン酸ジメチル及びグルタル酸ジメチルのうちの１つ又は複数を含む、請求項１６に記載のキット。
【請求項２１】
前記有機キット成分が、少なくとも１つのアルキルポリグリコシドを含む界面活性剤組成物をさらに含む、請求項１６に記載のキット。
【国際調査報告】
2017526778.tif 000005